(57)【特許請求の範囲】
【請求項１】
可動部と受け部と収縮部固定具とから構成され、
前記可動部は、先端に設けられた扉枠戸当りが扉の端から扉枠に当たる位置に突出して前記扉枠に当たることで閉扉時に前記扉が前記扉枠内に完全に収まる全閉状態になることを防止する全閉防止レバーと、前記全閉防止レバー上に設けられ、前記扉枠戸当りを前記扉の端から前記扉枠に当たる位置に突出した状態に維持する突出係りと、一端が前記全閉防止レバーの後端に接続され他端が前記収縮部固定具に接続された閉扉力発生用収縮部とを有し、
前記受け部は、前記全閉防止レバーを内部でスライドさせるとともに、前記全閉防止レバー上に設けられた突出係りと係り合うことで、前記全閉防止レバーに設けられた前記扉枠戸当りを前記扉枠に当たる位置に突出した状態に維持する突出係り受けを有し、
前記収縮部固定具は前記扉枠上に取付けて用いられることを特徴とするペット用閉扉装置。
【請求項２】
前記可動部において、前記閉扉力発生用収縮部は収縮バネと収縮力調整用ひもとにより構成されたことを特徴とする請求項１記載のペット用閉扉装置。
【請求項３】
前記受け部は、前記扉の上部であって、前記扉のヒンジが取り付けられる側と反対側の前記扉の端に近い位置に、前記全閉防止レバーが前記受け部内をスライドさせたときに、前記扉枠戸当りが前記扉の端から突出した状態と突出させない状態の２つの状態を得られる位置に水平方向に取り付けられ、
前記扉枠戸当りが前記扉の端から突出する方向に、前記全閉防止レバーを前記受け部内でスライドさせることにより、前記一端が前記全閉防止レバーの後端に他端が前記収縮部固定具に接続された前記閉扉力発生用収縮部に張力を加えることで閉扉力を発生せしめるとともに、前記全閉防止レバーに設けた前記突出係りと前記受け部に設けた前記突出係り受けを係合せることにより、前記閉扉力発生用収縮部に張力を加えて閉扉力が発生した状態を維持せしめ、
前記全閉防止レバーに設けた前記突出係りと前記受け部に設けた前記突出係り受けの係り合いを解除させたときには、前記閉扉力発生用収縮部の収縮力により前記全閉防止レバーが前記扉の端から突出しない位置に引き込まれるとともに、前記受け部内でスライドフリーとなり、よって前記閉扉力発生用収縮部に張力が加わらないことにより閉扉力が発生しないことを特徴とする請求項１又は請求項２のいずれか１項に記載のペット用閉扉装置。
【請求項４】
扉の内部に、請求項１又は請求項３のいずれか１項に記載の機構を有する受け部を内蔵したことを特徴とするペット用の閉扉機構付き扉。
【発明の詳細な説明】
【技術分野】
【０００１】
本発明はペットを有する家庭において、屋内の部屋の出入口に用いて好適なペット用の閉扉装置および閉扉機構付き扉の技術に関する。
【背景技術】
【０００２】
近年、ペットを室内で飼う家庭が増えているが、これらの家庭ではペットがリビング等の人間の居住スペースに入ること許可する一方で、排泄時は別部屋に設けたトイレ場に自分で行くようしつけらることが多い。このためにリビング等の扉はペットが自分で開けられるようにロックを外した状態に保持することが多いが、通過した後に扉を自分で閉じることをペットにしつけることは困難であり、特に夏季の冷房時や冬季の暖房時には、ペットが通過する度に開いたままの扉を人間が閉めなければならず、大変面倒であった。
【０００３】
この対策の一つとして、ペットが通過できる小扉を備えた専用扉に交換したり、扉を加工して小扉を取付ける方法あったが、賃貸住宅においては、部屋の貸主から許可を得ることは困難であり、使用されることは少なかった。
【０００４】
また分譲住宅においても、小扉を備えた専用扉の種類が少なくてデザイン的に既存の扉との交換が難しかったり、高級な材料を使用した扉に小扉用の取付け穴を空けたくないという気持ちから、使用されることは少なかった。
【０００５】
よって小扉を設ける以外の対策として、ペットが通過した後、扉が少しの隙間を残した状態まで自動で閉じるよう、閉扉装置と扉ストッパーを組合わせて使用する方法が提案されていた。（例えば特許文献１と特許文献２参照）
【特許文献１】実登３０３５１８４号公報（第３頁、図３）
【特許文献２】特開２００１−３２９７４３号公報（第６頁、図１、図２、図４）
【０００６】
以下、図１１、図１２により従来の閉扉装置と扉ストッパーを組合わせて使用する方法について説明する。
【０００７】
図１１は従来の閉扉装置と扉ストッパーを扉に取付けた状態を示す斜視図、図１２は従来の閉扉装置の正面断面図と上面断面図である。
【０００８】
図１１において、３３は部屋間に取付けられた扉、３４は扉枠、３５は閉扉装置、３６はヒンジであり、３７は閉扉装置のケーシング、３８は閉扉装置の主軸、３９は閉扉装置の第１のアーム、４０は閉扉装置の第２のアーム、４１は閉扉装置のアーム固定板、４２は扉ストッパーである。
【０００９】
ここで扉３３は扉枠３４にヒンジ３６により回動可能なように取付けられ、閉扉装置３５は第１のアーム３９と第２のアーム４０により、扉３３と扉枠３４とをつなぐように取付けられている。
【００１０】
さらに扉３３には、閉扉装置３５により扉３３が閉じられたときに、ペットが前足等で扉３３を開けられる少しの隙間を残すよう、扉ストッパー４２が取付けられている。
【００１１】
また図１２において、３７は閉扉装置のケーシング、３８はケーシングのほぼ中央に回転可能に取付けられ歯車を有する主軸、３９は閉扉装置の第１のアーム、４３は主軸３８の歯車と係動する歯板を有する摺動部、４４は摺動部４３を押圧するよう付勢されたスプリングバネ、４５は摺動部４３の摺動速度を一定にするためのピストン機構である。
【００１２】
ここでピストン機構４５において、４６はシリンダ、４７は緩衝オイル、４８は摺動部４３と接続され摺動部４３とともにシリンダ４６内を摺動するピストン、４９は小さい口径を有する閉扉時の緩衝オイル通路、５０は大きな口径を有する開扉時の緩衝オイル通路、５１は開扉時の緩衝オイル通路弁である。
【００１３】
このように構成された閉扉装置３５の動作を以下に説明する。
【００１４】
扉３３が開かれると、扉３３は扉枠３４に対して挟む角度が増加する方向に回転し、その回転は、第２のアーム４０の一端がアーム固定板４１を介して扉枠３４に固定されているので、第２のアーム４０と第１のアーム３９を介して主軸３８を回転させ、さらにその回転は、主軸３８の歯車と摺動部４３の歯板を介して、摺動部４３を、スプリングバネ４４を縮める方向に摺動させる。
【００１５】
この際、ピストン機構４５では、摺動部４３とともにピストン４８がシリンダ４６内を摺動し、それに伴って緩衝オイル４７は開扉時の緩衝オイル通路弁５１を押開き、開扉時の緩衝オイル通路５０を通って移動する。
【００１６】
尚この場合、開扉時の緩衝オイル通路５０は大きな口径を有するので、緩衝オイル４７は少ない抵抗で移動でき、よって扉３３は軽い力で開くことが可能となる。
【００１７】
次に扉３３を開いている力を取り除くと、縮められていたスプリングバネ４４の復元力により摺動部４３が摺動し、その摺動は摺動部４３の歯板と主軸３８の歯車を介して主軸３８を回転させ、さらにその回転は、第１のアーム３９と第２のアーム４０を介して、扉３３が扉枠３４に対して挟む角度が減少する方向に回転させ、よって扉３３が自動で閉じられる。
【００１８】
この際、ピストン機構４５では、摺動部４３とともにピストン４８がシリンダ４６内を摺動し、それに伴って緩衝オイル４７は、閉扉時の緩衝オイル通路４９を通って移動する。
【００１９】
尚この場合、閉扉時の緩衝オイル通路４９は小さい口径を有するので、緩衝オイル４７は移動するのに一定の大きな抵抗を受け、よって扉３３は一定の速度で閉じられる。
【００２０】
そして扉３３には、扉ストッパー４２が取付けられているので、扉ストッパー４２が扉枠３４に当って扉３３は全閉状態とはならず、よってペットが前足等を使って自分で開けることができるだけの少しの隙間を残した状態が保持される。
【発明の開示】
【発明が解決しようとする課題】
【００２１】
しかしながら上記従来の閉扉装置に扉ストッパーを組合わせる方法では、ペット用の閉扉機構付き扉に対して以下に示す要求があるにも関わらず、それらの要求を満足することはできなかった。
【００２２】
第一に、日常生活シーンで度々必要となる、ペットを移動規制する全閉状態や、掃除等の作業時に人の通行を妨げない全開状態に、ワンアクションで即座に簡単に変えられることが要求されていた。
【００２３】
第二に、部屋間の扉はデザインを重視するものが多いことから機構部は小型であることが要求されていた。
【００２４】
第三に、ペットの移動エリアを規制するには少なくとも複数の部屋間の扉に取付ける必要があるため安価なことが要求されていた。
【００２５】
本発明は、上記のような問題点を解決するためになされたもので、少しの隙間を残す閉扉機能を有しながら、ワンアクションで全閉状態と全開状態に切替えられ、さらに小型で安価なペット用閉扉装置および閉扉機構付き扉を実現することを目的とする。
【課題を解決するための手段】
【００２６】
上記目的を達成するために、本発明にかかるペット用閉扉装置および閉扉機構付き扉は、
可動部と受け部と収縮部固定具とから構成され、前記可動部は、先端に設けられた扉枠戸当りが扉の端から扉枠に当たる位置に突出して前記扉枠に当たることで閉扉時に前記扉が前記扉枠内に完全に収まる全閉状態になることを防止する全閉防止レバーと、前記全閉防止レバー上に設けられ、前記扉枠戸当りを前記扉の端から前記扉枠に当たる位置に突出した状態に維持する突出係りと、一端が前記全閉防止レバーの後端に接続され他端が前記収縮部固定具に接続された閉扉力発生用収縮部とを有し、前記受け部は、前記全閉防止レバーを内部でスライドさせるとともに、前記全閉防止レバー上に設けられた突出係りと係り合うことで、前記全閉防止レバーに設けられた前記扉枠戸当りを前記扉枠に当たる位置に突出した状態に維持する突出係り受けを有する。
【００２７】
さらに本発明にかかるペット用閉扉装置および閉扉機構付き扉は、前記可動部において、前記閉扉力発生用収縮部は収縮バネと収縮力調整用ひもを有し、前記閉扉力発生用収縮部の一端は前記全閉防止レバーの後端に、他端は前記収縮部固定具に接続されている。
【００２８】
さらに本発明にかかるペット用閉扉装置および閉扉機構付き扉は、前記受け部は、前記扉の上部であって、前記扉のヒンジが取り付けられる側と反対側の前記扉の端に近い位置に、前記全閉防止レバーが前記受け部内をスライドさせたときに、前記扉枠戸当りが前記扉の端から突出した状態と突出させない状態の２つの状態を得られる位置に水平方向に取り付けられ、前記扉枠戸当りが前記扉の端から突出する方向に、前記全閉防止レバーを前記受け部内でスライドさせることにより、前記一端が前記全閉防止レバーの後端に他端が前記収縮部固定具に接続された前記閉扉力発生用収縮部に張力を加えることで閉扉力を発生せしめるとともに、前記全閉防止レバーに設けた前記突出係りと前記受け部に設けた前記突出係り受けを係合せることにより、前記閉扉力発生用収縮部に張力を加えることで閉扉力を発生した状態を維持せしめ、前記全閉防止レバーに設けた前記突出係りと前記受け部に設けた前記突出係り受けの係り合いを解除させたときには、前記閉扉力発生用収縮部の収縮力により前記全閉防止レバーが前記扉の端から突出しない位置に引き込まれるとともに、前記受け部内でスライドフリーとなり、よって前記閉扉力発生用収縮部に張力が加わらないことにより閉扉力が発生しないこととしている。
【発明の効果】
【００２９】
本発明によれば、少しの隙間を残す閉扉を有しながら、ワンアクションで全閉状態と全開状態に切替えられ、さらに小型で安価なペット用閉扉装置および閉扉機構付き扉を実現できるという効果を有する。
【発明を実施するための最良の形態】
【００３０】
（実施の形態１）
以下に、本発明の実施の形態について、図を用いて説明する。
【００３１】
図１は本発明の一実施の形態によるペット用閉扉装置の構成図、図２は本発明の一実施の形態によるペット用閉扉装置を扉に取付けた状態の斜視図、図３は本発明の一実施の形態によるペット用閉扉装置の全閉防止レバーが突出した状態の斜視図、図４は一実施の形態によるペット用閉扉装置の全閉防止レバーが引き込まれた状態の斜視図である。
【００３２】
図１から図４において、１０は閉扉装置、１１は全閉防止レバー、１２は閉扉力発生用収縮部、１３は可動部、１４は収縮部固定具、１５は受け部、１６は突出係り、１７は突出係り受け、さらに、１８は収縮バネ、１９は収縮力調整用ひも、２０は扉枠当り、２１はスライド溝、２２は扉、２３は扉枠、２４は突出した状態の全閉防止レバー、２５は閉扉力が発生した状態の閉扉力発生用収縮部、２６は引き込まれた状態の全閉防止レバー、２７は閉扉力が発生していない状態の閉扉力発生用収縮部である。
【００３３】
つまり図１と図２に示すように本発明の一実施の形態によるペット用閉扉装置は、突出係り１６を備えた全閉防止レバー１１と閉扉力発生用収縮部１２を有する可動部１３と、全閉防止レバー１１を内部でスライドさせるとともに突出係り１６を受ける突出係り受け１７を有する受け部１５と、閉扉力発生用収縮部１２の一端を扉枠２３に固定する収縮部固定具１４とを有し、さらに閉扉力調整用ひも１９を有している。
【００３４】
また図１から図４に示すように、本閉扉装置は、可動部１３と収縮部固定具１４と受け部１５とから構成されており、可動部１３と受け部１５とは組合されて扉２２の上部に水平に取付けられ、収縮部固定具１４は扉枠２３の上辺に固定されている。
また可動部１３は、受け部１５内をスライドするとともに先端に設けられた扉枠戸当り２０が扉２２の端から扉枠２３に当たる位置に突出して扉枠２３に当たることで閉扉時に扉２２が扉枠２３内に完全に収まる全閉状態になることを防止する全閉防止レバー１１と、全閉防止レバー１１上に設けられ、受け部１５上に設けられた突出係り受け１７と係り合うことで扉枠戸当り２０を扉２２の端から扉枠２３に当たる位置に突出した状態に維持する突出係り１６と、一端が全閉防止レバー１１の後端に接続され他端が収縮部固定具１４に接続された閉扉力発生用収縮部１２とを有している。
ここで本発明の一実施の形態においては、全閉防止レバー１１上に設けられた突出係り１６とは、図１に示すように、全閉防止レバー１１の扉枠戸当り２０に近い位置に設けられた、全閉防止レバー１１のスライドを制限する角度に切られた段差面のことであり、受け部１５上に設けられた突出係り受け１７とは、同図に示すように、受け部１５の扉２２の端側に設けられた、全閉防止レバー１１のスライドを制限する角度に切られた切断端面のことである。
さらに受け部１５は、全閉防止レバー１１を内部でスライドさせるとともに、全閉防止レバー１１上に設けられた突出係り１６と係り合うことで、全閉防止レバー１１に設けられた扉枠戸当り２０を扉枠２３に当たる位置に突出した状態に維持する突出係り受け１７を有している。
尚、収縮部固定具１４と受け部１５には取付け用ネジ穴が設けられている。
【００３５】
このように構成された本発明の一実施の形態によるペット用閉扉装置の使用方法について、以下に説明する。
【００３６】
本発明の一実施の形態によるペット用閉扉装置は、図１に示すように、全閉防止レバー１１の一端に収縮バネ１８を接続し、さらに収縮バネ１８に収縮力調整用ひも１９を接続し、さらに収縮力調整用ひも１９に収縮部固定具１４を接続する。
【００３７】
また図１に示すように、収縮バネ１８と収縮力調整用ひも１９とにより閉扉力発生用収縮部１２が構成され、閉扉力発生用収縮部１２と全閉防止レバー１１とにより可動部１３が構成されている。
【００３８】
そして図１および図２に示すように、全閉防止レバー１１が受け部１５内に設けられたスライド溝２１内をスライドするとともに、収縮力調整用ひも１９と収縮部固定具１４が受け部１５の外に出るよう組まれて、受け部１５は扉２２上に、収縮部固定具１４は扉枠２３上にネジを用いて取付けられている。
【００３９】
尚、収縮力調整用ひも１９の長さは、図２に示すように、全閉防止レバー１１上が扉２２端から突出した位置にあるときに、収縮バネ１８が伸びた状態となり、閉扉力発生用収縮部１２に張力が加わることで閉扉力が発生するように調整されている。
このように構成された本発明の一実施の形態のペット用閉扉装置について、さらに構成を補足しながら動作及び機能について、以下に説明する。
図１から図４に記載のように、可動部１３は、収縮バネ１８と収縮力調整用ひも１９から構成される閉扉力発生用収縮部１２を有し、閉扉力発生用収縮部１２の一端は全閉防止レバー１１の後端に、他端は収縮部固定具１４に接続されている。
さらに受け部１５は、扉２２の上部であって、扉２２のヒンジが取り付けられる側と反対側の扉２２端に近い位置に、全閉防止レバー１１を受け部１５内をスライドさせたときに、全閉防止レバー１１が扉２２端から突出した状態と突出させない状態の２つの状態を得られる位置に水平方向に取り付けられている。
また収縮部固定具１４は扉枠２３に固定されていることから、全閉防止レバー１１を受け部１５内で、全閉防止レバー１１の先端に設けられた扉枠戸当り２０が扉２２の端から突出する方向にスライドさせることにより、収縮部固定具１４と全閉防止レバー後端との距離が最も遠ざかった状態となり、よって一端が全閉防止レバー１１の後端に他端が収縮部固定具１４に接続された閉扉力発生用収縮部１２に張力を加えることで閉扉力を発生せしめ、さらに全閉防止レバー１１に設けた突出係り１６と受け部１５に設けた突出係り受け１７を係合せることにより、閉扉力発生用収縮部１２に張力を加えて閉扉力が発生した状態が維持される。
尚、突出係り１６と突出係り受け１７とを係り合せるには、全閉防止レバー１１を、扉枠戸当り２０が扉２２の端から扉枠２３に当たる位置まで突出させながら、先端部を下方向にずらせばよく、全閉防止レバー１１自身の重量で突出係り１６と突出係り受け１７とが係り合った状態が維持される。
一方、全閉防止レバー１１に設けた突出係り１６と受け部１５に設けた突出係り受け１７の係り合いを解除させれば全閉防止レバー１１は受け部１５内でスライドフリーとなり、扉枠戸当り２０が扉２２端から突出しない位置に受け部１５内をスライドして移動することで、収縮部固定具１４と全閉防止レバー後端との距離が近くなり閉扉力発生用収縮部１２に加わる張力は消滅して閉扉力が発生しない状態になるとともに、扉枠戸当り２０も扉２２の端から突出していないため扉２２を全閉状態にすることが可能となっている。
つまり本発明の一実施の形態によるペット用閉扉装置によれば、全閉防止レバー１１を受け部１５内でスライドさせて扉枠戸当り２０が扉２２の端から突出した状態と突出しない状態を切替えるというワンアクションで、同時に閉扉力が発生した状態と発生しない状態を切替えられるという機能を有しており、これは日常生活において、ペットが自分で扉２２を開いて通過した後に扉２２が自動的に閉じる閉扉機構が働いている状態と、急な来客でペットの通行を制限したいときに扉２２を全閉状態にしたり掃除のときに扉２２を全開状態にしたりする閉扉機構が働かない状態を瞬時に切替えることが可能となっている。
【００４０】
このように本発明の一実施の形態によるペット用閉扉装置では、従来の閉扉装置に較べて機構部の構成が簡単であることから、小型にできるとともに木材や樹脂等の安価な材料で製作が可能であり、よってデザインが重視される扉への取付けに適し、複数の部屋間の扉に取付ける場合にも費用を最小に抑えることが可能になる。
【００４１】
また図３と図４は、図２の全閉防止レバー１１の周辺を拡大して示している。
【００４２】
ここで図３は、全閉防止レバー上の突出係り１６を受け部１５上の突出係り受け１７に掛けた状態を示しており、全閉防止レバーは２４で示すように扉２２端から突出した位置に保持され、それにより２５で示すように閉扉力発生用収縮部では収縮バネが伸びて収縮力調整用ひもが張った状態となり、よって閉扉力が発生している状態を示している。
【００４３】
また図４は、全閉防止レバー上の突出係りを受け部１５上の突出係り受け１７から外した状態を示しており、全閉防止レバーは２６で示すように、閉扉力発生用収縮部に引かれて扉２２端から突出しない位置に引き込まれるとともに受け部１５内でスライドフリーとなり、それにより２７で示すように閉扉力発生用収縮部は収縮バネの伸びが無くなり収縮力調整用ひもが緩んだ状態となり、よって閉扉力が発生していない状態を示している。
【００４４】
このように本発明の一実施の形態によるペット用閉扉装置では“突出係り１６と突出係り受け１７とを掛ける”もしくは“突出係り１６と突出係り受け１７とを外す”のワンアクションで閉扉装置１０の閉扉力を発生させたり解除したりすることが可能となっている。
【００４５】
次に本発明の一実施の形態によるペット用閉扉装置の使用例について、以下に説明する。
【００４６】
図５から図８は本発明の一実施の形態によるペット用閉扉装置の使用例を示しており、図５はペットが扉を引き開こうとしている状態図、図６はペットが扉を押し開こうとしている状態図、図７は扉が全閉された状態図、図８は扉が全開された状態図である。
【００４７】
また図５から図８において、２２は扉、２４は突出した状態の全閉防止レバー、２６は引き込まれた状態の全閉防止レバー、２７は閉扉力が発生していない状態の閉扉力発生用収縮部、２８は閉扉時の扉の隙間である。
【００４８】
今、図５における使用例では、閉扉装置は２４で示すように全閉防止レバーが扉２２端から突出するとともに閉扉力が発生した状態にある。よって扉２２は突出した状態の全閉防止レバー２４により、閉扉時の扉の隙間２８を残して閉じた状態にある。よってペットは閉扉時の扉の隙間２８に前足を差し入れて引くことで、扉２２を簡単に開くことが可能となっている。そしてペットが扉２２を通過した後は閉扉装置の閉扉機能により扉２２は自動で閉じられる。
【００４９】
また図６における使用例でも、閉扉装置は２４で示すように全閉防止レバーが扉２２端から突出するとともに閉扉力が発生した状態にある。よって扉２２は突出した状態の全閉防止レバー２４により、閉扉時の扉の隙間２８を残して閉じた状態にある。よってペットは閉扉時の扉の隙間２８に体を入れるように扉２２を押すことで、扉２２を簡単に開くことが可能となっている。そしてペットが扉２２を通過した後は閉扉装置の閉扉機能により扉２２は自動で閉じられる。
【００５０】
つまり本発明の一実施の形態によるペット用閉扉装置によれば、ペットを有する家庭において、扉をペット専用の小扉を有するタイプに交換したり、既設の扉に加工穴を空けて小扉を取付けたりしなくても、既設の扉に本発明のペット用閉扉装置を取付けるだけで、ペットが自分で開けられるとともにペットが通過した後には扉が自動で閉まる機能を追加することが可能となる。
【００５１】
また図７における使用例では、閉扉装置は２６で示すように全閉防止レバーが扉２２端から突出しない位置に引き込まれるとともに扉２２は完全に閉じた状態にある。よってペットは扉２２を自分で開けることはできず、ペットの移動を制限することが可能となっている。
【００５２】
つまり本発明の一実施の形態によるペット用閉扉装置によれば、簡単な操作でペットの移動を制限できる機能を有する扉を実現することが可能となっている。
【００５３】
また図８における使用例では、閉扉装置は２６で示すように全閉防止レバーが扉２２端から突出しない位置に引き込まれるとともに、閉扉力発生用収縮部は２７で示すように緩んだ状態にある。よって扉２２を掃除等の作業時に人の通行を妨げないよう全開に保持することが可能となっている。
【００５４】
つまり本発明の一実施の形態によるペット用閉扉装置によれば、簡単な操作で閉扉機能を解除して全開状態にできるという機能を有する扉を実現することが可能となる。
【００５５】
そして図５および図６と図７および図８の状態は、前述の図３および図４を用いた説明に示したように、全閉防止レバー上の突出係りと受け部上の突出係り受けを掛けたり外したりするだけの、ワンアクションで切替えることが可能となっている。
【００５６】
このように本発明の一実施の形態によるペット用閉扉装置によれば、既存の扉に取付けるだけで、少しの隙間を残す閉扉機能を有しながら、ワンアクションで全閉状態と全開状態に切替えられるペット用扉を実現することが可能となる。
【００５７】
（実施の形態２）
次に、本発明の他の実施の形態について、図９を用いて説明する。
【００５８】
図９は本発明の他の実施の形態によるペット用閉扉装置の受け部を内蔵した閉扉機構付き扉の斜視図であり、１１は全閉防止レバー、１２は閉扉力発生用収縮部、２２は扉、２９は扉に内蔵された受け部、３０は扉に設けられた突出係り受けである。
【００５９】
図９において、扉に内蔵された受け部２９は、全閉防止レバー１１を内部でスライドさせるスライド溝を有するとともに、図１と同様に、全閉防止レバー１１と収縮バネと収縮力調整用ひもが接続された可動部を内部に備えている。
【００６０】
一方、図１で受け部上に設けられていた突出係り受けは、図９では３０で示すように、扉２２上に設けられている。
【００６１】
このように構成された本発明の他の実施の形態による閉扉機構によれば、扉２２の表面を出っ張りの無いフラットに仕上げられるので、デザイン性の良いペット用閉扉機構付き扉を実現することが可能となる。
【００６２】
そして実施の形態１と同様に、ワンアクションで少しの隙間を残す閉扉機能を有しながら、全閉状態と全開状態に切替えられるペット用扉を実現することが可能となる。
【００６３】
（実施の形態３）
さらに、本発明の他の実施の形態について、図１０を用いて説明する。
【００６４】
図１０は本発明の他の実施の形態によるペット用閉扉装置の受け部を金具を用いて扉に取付けた状態の斜視図であり、１０は閉扉装置、１２閉扉力発生用収縮部、１５は受け部、２２は扉、３１は上面金具、３２は側面金具である。
【００６５】
図１０において、受け部１５は扉２２に取付けるためのネジ穴を有しておらず、替わりに上面金具３１と側面金具３２を有しており、よって上面金具３１と側面金具３２により、扉２２の上面と側面を挟むことで取付けられるよう構成されている。
【００６６】
ここで受け部１５に係る主な力は、重力が受け部１５を下方に引く力と閉扉力発生用収縮部１２が受け部１５を側方に引く力であり、これらはそれぞれ上面金具３１と側面金具３２が受止めるので、受け部１５は両面テープ等の簡単な固定具のみで扉２２上に固定することが可能となっている。
【００６７】
つまり高級な材料を使った扉や賃貸の部屋の扉等、傷を付けることを避けたい扉を有する家庭においても、気兼ね無く取付けられるペット用閉扉装置を実現することが可能となる。
【００６８】
尚、上記の各実施の形態においては、閉扉力発生用収縮部１２は、収縮部固定具１４側に収縮力調整用ひも１９が接続される例を示したが、収縮部固定具１４側に収縮バネ１８を接続しても、同様の閉扉機能が得られることは言うまでもなく、その場合には、扉の開閉に際して収縮力調整用ひも１９と受け部１５とが擦れることが無くなり、よって収縮力調整用ひも１９の劣化が少なく、長寿命になるという利点があることも言うまでもない。
【００６９】
さらに上記の各実施の形態においては、閉扉力発生用収縮部として収縮バネを用いる例を示したが、ゴム等の収縮力を発生するものであればこれに限定するものではなく、同様な効果が得られることも言うまでもない。
【産業上の利用可能性】
【００７０】
本発明のペット用閉扉装置および閉扉機構付き扉は、ペットを飼う家庭において、夏季においては冷房時の室内冷気を、冬季においては暖房時の室内暖気の流出を最小限に防げ、よって冷暖房エネルギーの無駄を低減できる地球環境にやさしい住宅用建造物の実現に利用できるもので、その効果が本発明によるものであることは言うまでもない。
【図面の簡単な説明】
【００７１】
【図１】本発明の一実施の形態によるペット用閉扉装置の構成図である。
【図２】本発明の一実施の形態によるペット用閉扉装置を扉に取付けた状態の斜視図である。
【図３】本発明の一実施の形態によるペット用閉扉装置の全閉防止レバーが突出した状態の斜視図である。
【図４】本発明の一実施の形態によるペット用閉扉装置の全閉防止レバーが引き込まれた状態の斜視図である。
【図５】本発明の一実施の形態によるペット用閉扉装置においてペットが扉を引き開こうとしている状態図である。
【図６】本発明の一実施の形態によるペット用閉扉装置においてペットが扉を押し開こうとしている状態図である。
【図７】本発明の一実施の形態によるペット用閉扉装置において扉が全閉された状態図である。
【図８】本発明の一実施の形態によるペット用閉扉装置において扉が全開された状態図である。
【図９】本発明の他の実施の形態によるペット用閉扉装置の受け部を内蔵した閉扉機構付き扉の斜視図である。
【図１０】本発明の他の実施の形態によるペット用閉扉装置の受け部を金具を用いて扉に取付けた状態の斜視図
【図１１】従来の閉扉装置と扉ストッパーを扉に取付けた状態を示す斜視図である。
【図１２】従来の閉扉装置の正面断面図と上面断面図である。
【符号の説明】
【００７２】
１０  閉扉装置
１１  全閉防止レバー
１２  閉扉力発生用収縮部
１３  可動部
１４  収縮部固定具
１５  受け部
１６  突出係り
１７  突出係り受け
１８  収縮バネ
１９  収縮力調整用ひも
２０  扉枠戸当り
２１  スライド溝
２２  扉
２３  扉枠
２４  突出した状態の全閉防止レバー
２５  閉扉力が発生した状態の閉扉力発生用収縮部
２６  引き込まれた状態の全閉防止レバー
２７  閉扉力が発生していない状態の閉扉力発生用収縮部
２８  閉扉時の扉の隙間
２９  扉に内蔵された受け部
３０  扉に設けられた突出係り受け、
３１  上面金具
３２  側面金具
３３  扉
３４  扉枠
３５  閉扉装置
３６  ヒンジ
３７  閉扉装置のケーシング
３８  閉扉装置の主軸
３９  閉扉装置の第１のアーム
４０  閉扉装置の第２のアーム
４１  閉扉装置のアーム固定板
４２  扉ストッパー
４３  摺動部
４４  スプリングバネ
４５  ピストン機構
４６  シリンダ
４７  緩衝オイル
４８  ピストン
４９  閉扉時の緩衝オイル通路
５０  開扉時の緩衝オイル通路
５１  開扉時の緩衝オイル通路弁
【図１】
0004379361.tif 000002
【図２】
0004379361.tif 000003
【図３】
0004379361.tif 000004
【図４】
0004379361.tif 000005
【図５】
0004379361.tif 000006
【図６】
0004379361.tif 000007
【図７】
0004379361.tif 000008
【図８】
0004379361.tif 000009
【図９】
0004379361.tif 000010
【図１０】
0004379361.tif 000011
【図１１】
0004379361.tif 000012
【図１２】
0004379361.tif 000013